【事件の表示】
　平成　９年特許願第３４５９７５号「自動版替え装置」拒絶査定不服審判事件〔平成１１年　６月２９日出願公開、特開平１１−１７０４８６〕について、次のとおり審決する。
【結　論】
　本件審判の請求は、成り立たない。
【理　由】
１．手続の経緯
　本願は、平成９年１２月１６日に出願したものであって、平成１６年１２月２日付け及び平成１８年１０月１０日付けで手続補正がなされ、平成１９年１０月２６日付けで拒絶査定がなされ、これに対し、同年１１月２７日付けで拒絶査定に対する審判請求がなされたものである。
　
２．本願発明
　本願請求項１〜４に係る発明は、平成１８年１０月１０日付け手続補正で補正された明細書の特許請求の範囲の請求項１〜４に記載された事項により特定されるものであり、その請求項１に係る発明（以下、「本願発明」という。）は、以下のとおりである。
「版胴に巻かれた刷版を同版胴の周面に対して固定と固定解除が可能なクランプ機構を備え、
　前記クランプ機構を固定解除して前記刷版を排出する際に、前記版胴が非回転状態で前記刷版の先端部が版胴ギャップから外れたことを検出する第１センサと、
　前記第１センサの前記刷版排出方向下流側に設けられ、前記版胴の回転によって排出される前記刷版を検出する第２センサと、
　前記第１センサが前記刷版を検出したときに前記版胴を回転させ、その後、前記第２センサが前記刷版を検出しないときに前記版胴の回転を停止させるように制御する制御装置を備えたことを特徴とする自動版替え装置。」
　
３．引用刊行物
　ａ．原査定の拒絶の理由に引用された刊行物である特開平６−２２６９５６号公報（以下、「刊行物１」という。）には、以下の記載が図示とともにある。
　ア．【００１３】
【実施例】次に本発明の枚葉印刷機の刷版交換方法の実施に使用する刷版交換装置の構成例を図１により説明すると、１０が版胴、１１がブランケット胴、１２が圧胴、１６ｂが旧版１６の尻側端部１６ｂ、１７ａが版胴１０の咬側万力、１７ｂが版胴１０の尻側万力、２０がカセットである。
【００１４】２１がインキ着ローラ、２２が水着ローラ、２３が安全バーで、同安全バー２３は、版胴１０が図２の破線矢印方向（印刷時の回転（正転）方向）に回転するときに、異物（人の手を含む）が版胴１０とブランケット胴１１との間に挟み込まれるのを阻止する役目を持ち、版胴１０とブランケット胴１１との表面に対して僅少な隙間を隔てて設置されている。２４が版尻咬持装置、２５、２６がセンサ、２７がクランプ装置である。
　イ．【００１５】次に刷版交換時の作用を具体的に説明する。図２の一点鎖線に示すようにカセット２０は、印刷ユニット２の上部に待機している一方、新版１９は、カセット２０の上面にサッカー装置（図示せず）により吸着保持されている。印刷が終了して、版交換開始信号が発せられると、カセット２０が図１の実線位置（版交換位置）へ移動して停止する。このとき、ブランケット胴１１が胴抜き状態になり、ブランケット胴１１が版胴１０及び圧胴１２から離れる。またインキ着ローラ２１及び水着ローラ２２も、版胴１０の表面から離れるが、版交換開始信号が発せられると、水着ローラ２２が版胴１０の表面に接触する。
【００１６】この状態になったら、版胴１０の尻側万力１７ｂが旧版１６の尻側端部１６ｂのクランプを自動的に開放するとともに、旧版１６の版尻（尻側端部１６ｂを含む版尻）が版胴１０の表面から離脱する。そしてこの離脱した旧版１６の尻端部１６ｂがセンサ２５により検出されると、そのとき得られる検出信号により版胴１０が巻出し速度に同期して実線矢印方向に回転して、旧版１６が版胴１０と水着ローラ２２とにより巻き出され、旧版１６の尻端部１６ｂがセンサ２６により検出されると、そのとき得られる検出信号によりクランプ装置２７が閉じて、旧版１６の尻端部１６ｂが同クランプ装置２７により咬持される。
　ウ．【図１】から、咬側万力１７ａ及び尻側万力１７ｂは、版胴１０の表面から凹んだ溝部に位置していることが看取できる。
　
　上記記載及び図面を含む刊行物１全体の記載から、刊行物１には、以下の発明が開示されていると認められる。
「版胴１０の表面から凹んだ溝部に位置している咬側万力１７ａ及び尻側万力１７ｂを有し、
版交換開始信号が発せられると、版胴１０の尻側万力１７ｂが旧版１６の尻側端部１６ｂのクランプを自動的に開放するとともに、旧版１６の版尻（尻側端部１６ｂを含む版尻）が版胴１０の表面から離脱し、この離脱した旧版１６の尻端部１６ｂがセンサ２５により検出されると、そのとき得られる検出信号により版胴１０が巻出し速度に同期して回転して、旧版１６が巻き出され、旧版１６の尻端部１６ｂがセンサ２６により検出されると、そのとき得られる検出信号によりクランプ装置２７が閉じる刷版交換装置」（以下、「引用発明」という。）
　
　ｂ．原査定の拒絶の理由に引用された刊行物である特開平７−５２３６３号公報（以下、「刊行物２」という。）には、以下の記載が図示とともにある。
　
　エ．【００３３】版１０を版胴３から剥離する場合、版胴３を矢印９０方向へ回転させる。版胴３の回転によりカムフォロアー７の位置も移動し、やがてこのカムフォロアー７はカム８と接する位置に到達する（図７）。このカム８との接触によって、カムフォロアー７には矢印９３方向への力が加わり、これに応じて押圧プレート５は矢印９４方向に移動する。この押圧プレート５の移動によってバネ３０は圧縮し、突出ピン２を矢印９１方向へ押し上げて突出させる。
【００３４】突出ピン２は版１０の巻き付け始端１０ａに形成されている突出用孔１５を通じて突出し、版１０の巻き付け終端１０ｂを加圧して、この巻き付け終端１０ｂを剥離する。この状態が図８である。このように、巻き付け終端１０ｂが版胴３に近接するガイドプレート４に達する以前に、突出ピン２の突出移動によって巻き付け終端１０ｂを剥離する。
【００３５】巻き付け終端１０ｂを剥離した後、引き続き版胴３は矢印９０方向への回転を継続する。この版胴３の回転によって、巻き付け終端１０ｂはガイドプレート４上に載る（図９）。図９に示すように、ガイドプレート４上にはフォトマイクロセンサ６１が設けられており、ガイドプレート４上に版１０の巻き付け終端部１０ｂが確実に載ったか否かを検出している。もし仮に、突出ピン２が突出したにもかかわらず、巻き付け終端部１０ｂが剥離しなかった場合、巻き付け終端部１０ｂはガイドプレート４上に載らないことになる。フォトマイクロセンサ６１はこの異常を検出し、警告表示を行なったり、装置を停止させたりする。
　
４．対比
　本願発明と引用発明とを比較すると、引用発明の「版胴１０」、「旧版１６」、「咬側万力１７ａ及び尻側万力１７ｂ」、「旧版１６の尻側端部１６ｂ」、「溝部」、「センサ２５」及び「刷版交換装置」は、それぞれ本願発明の「版胴」、「刷版」、「クランプ機構」、「刷版の先端部」、「版胴ギャップ」、「第１センサ」及び「自動版替え装置」に相当する。
　引用発明の「咬側万力１７ａ及び尻側万力１７ｂ」が、版胴に巻かれた刷版を版胴の周面に対して固定と固定解除する機能を有していることは技術常識である。
　引用発明は、「版交換開始信号が発せられると、版胴１０の尻側万力１７ｂが旧版１６の尻側端部１６ｂのクランプを自動的に開放するとともに、旧版１６の版尻（尻側端部１６ｂを含む版尻）が版胴１０の表面から離脱し、この離脱した旧版１６の尻端部１６ｂがセンサ２５により検出されると、そのとき得られる検出信号により版胴１０が巻出し速度に同期して回転」するものであるから、センサ２５での検出前の時点では、版胴１０は、非回転状態であるといえる。また、印刷時に「咬側万力１７ａ及び尻側万力１７ｂ」が、「版胴１０の表面から凹んだ溝部」内で「旧版１６」を固定していることは技術常識であるから、引用発明の「旧版１６の版尻（尻側端部１６ｂを含む版尻）が版胴１０の表面から離脱」することは、刷版の先端部が版胴ギャップから外れることを意味する。よって、引用発明の「センサ２５」は、クランプ機構を固定解除して刷版を排出する際に、版胴が非回転状態で前記刷版の先端部が版胴ギャップから外れたことを検出するものといえる。
　引用発明は、「離脱した旧版１６の尻端部１６ｂがセンサ２５により検出されると、そのとき得られる検出信号により版胴１０が巻出し速度に同期して回転して、旧版１６が巻き出され」るものであるから、センサ２５（第１センサ）が尻端部１６ｂ（刷版）を検出したときに版胴を回転させるように制御する制御装置を有しているものといえる。
　よって、両者は、
「版胴に巻かれた刷版を同版胴の周面に対して固定と固定解除が可能なクランプ機構を備え、
　前記クランプ機構を固定解除して前記刷版を排出する際に、前記版胴が非回転状態で前記刷版の先端部が版胴ギャップから外れたことを検出する第１センサと、
　前記第１センサが前記刷版を検出したときに前記版胴を回転させるように制御する制御装置を備えた自動版替え装置。」
の点で一致し、以下の点で相違している。
［相違点］本願発明は、「前記第１センサの前記刷版排出方向下流側に設けられ、前記版胴の回転によって排出される前記刷版を検出する第２センサ」を備え、制御装置が「その後、前記第２センサが前記刷版を検出しないときに前記版胴の回転を停止させるように制御する」と特定されているのに対し、引用発明は、本願発明のような第２センサを有しておらず、制御内容が本願発明とは異なっている点。
　
５．判断
　上記相違点について検討する。
　引用発明は、「旧版１６の版尻（尻側端部１６ｂを含む版尻）が版胴１０の表面から離脱」する、即ち、版胴１０に巻かれて巻き癖が付いていた旧版１６を版胴１０が巻き出すものである。一般に、巻き癖が付いているシート状部材を移動させる際、移動経路周辺の壁等に予期しない接触が生じ、予定通りの移動が困難となる場合があることは技術常識であるから、引用発明においても旧版１６を巻き出す際に、正常に移動しているか否かを監視すべきことは自明の課題である。
　一方、刊行物２には、版胴３（本件発明の「版胴」に相当。）の回転によって排出される版１０（刷版）の巻き付け終端１０ｂ（刷版の先端部）の異常を検出するフォトマイクロセンサ６１（第２センサ）を設け、この異常の検出により装置（版胴）を停止させることが記載されているから、引用発明の旧版１６の移動を監視するべく、引用発明に刊行物２に記載の事項を適用し、版胴の回転によって排出される刷版を検出する第２センサを備え、第２センサが前記刷版を検出しないときに前記版胴の回転を停止させるように制御することは、当業者が容易になし得る程度のことである。
　そして、引用発明は、旧版１６（刷版）の尻端部１６ｂ（刷版の先端部）がセンサ２５（第１センサ）により検出されると、旧版１６（刷版）が巻き出されるものであり、刊行物２に記載の事項は、回転によって排出される版１０（刷版）の巻き付け終端１０ｂ（刷版の先端部）を監視しているのであるから、引用発明に刊行物２に記載の事項を適用する際、フォトマイクロセンサ６１（第２センサ）を設ける位置をセンサ２５（第１センサ）の刷版排出方向下流側とし、版胴の回転後に刷版の先端部を検出しないときに版胴の回転を停止させるように制御することは当然のことである。
　よって、本願発明の上記相違点のような構成とすることは当業者が容易になし得る程度のことである。
　
　以上のとおりであるから、本願発明の相違点に係る構成は、引用発明、刊行物２に記載された事項および技術常識に基づいて当業者が容易に想到することができたものであり、それにより得られる効果も当業者が予測できる範囲のものである。
　
６．むすび
　以上のとおり、本願発明は、引用発明、刊行物２に記載された事項および技術常識に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。